(57)【要約】【課題】ランプの周方向の輝度のむらが小さく、高効率で、大光束化に有利なランプを提供する。【解決手段】ランプ１Ａは、発光素子を有する中央発光部４と、発光素子を有する３個以上の側面発光ユニット５と、を備える。３個以上の側面発光ユニット５は、中央発光部４の周りで、互いの間に間隔をあけ、発光面を外側に向けて配置される。中央発光部４から出射した光が側面発光ユニット５同士の間を通って放射される。中央発光部４は、複数の中央発光ユニット８を備える。【選択図】図２
2016201210.tif 000002
【特許請求の範囲】
【請求項１】
発光素子を有する中央発光部と、
発光素子を有する３個以上の側面発光ユニットと、
を備え、
前記３個以上の前記側面発光ユニットは、前記中央発光部の周りで、互いの間に間隔をあけ、発光面を外側に向けて配置され、
前記中央発光部から出射した光が前記側面発光ユニット同士の間を通って放射されるランプ。
【請求項２】
前記中央発光部から前記側面発光ユニット同士の中間へ向かう光の光度が、前記中央発光部から前記側面発光ユニットの裏面の中心へ向かう光の光度に比べて、高い請求項１に記載のランプ。
【請求項３】
前記中央発光部は、発光素子を有する複数の中央発光ユニットを備え、
各々の前記中央発光ユニットは、発光面を前記側面発光ユニット同士の間に向けて配置されている請求項１または請求項２に記載のランプ。
【請求項４】
各々の前記中央発光ユニットは、ヒートシンクを備え、
前記複数の前記中央発光ユニットは、互いの間に間隔をあけて配置されている請求項３に記載のランプ。
【請求項５】
前記複数の前記中央発光ユニットに共用のヒートシンクを備え、
前記ヒートシンクは、空気が通過可能な中空部を有する請求項３に記載のランプ。
【請求項６】
前記中央発光部は、長手方向がランプ中心軸に平行になる反射体を有し、
前記反射体の一端の側に前記中央発光部の前記発光素子が配置され、
前記反射体は、前記中央発光部の前記発光素子から発せられた光を前記側面発光ユニット同士の間へ向けて反射させる請求項１または請求項２に記載のランプ。
【請求項７】
前記中央発光部は、長手方向がランプ中心軸に平行になる導光体と、前記導光体の側面から光を出射させる光制御手段とを有し、
前記中央発光部の前記発光素子から発せられた光が前記導光体の一端に入射する請求項１または請求項２に記載のランプ。
【請求項８】
前記光制御手段は、前記導光体の内部に設けられ、光を拡散反射させる拡散反射部を有する請求項７に記載のランプ。
【請求項９】
前記光制御手段は、前記導光体の側面において前記側面発光ユニットの裏面に対向する位置に配置され、光を拡散反射させる拡散反射部を有する請求項７に記載のランプ。
【請求項１０】
前記導光体は、筒状を呈し、
前記光制御手段は、前記導光体の内面及び外面のいずれか一方または両方に形成された光拡散面を有する請求項７に記載のランプ。
【請求項１１】
前記中央発光部の前記発光素子が発せられた光が前記導光体の基端に入射し、
前記導光体に入射した光の一部が前記導光体の先端から出射する請求項７から請求項１０のいずれか一項に記載のランプ。
【請求項１２】
発光素子を有し、発光面をランプ先端側に向けて配置された先端発光部を備える請求項１から請求項１１のいずれか一項に記載のランプ。
【請求項１３】
前記反射体は、前記一端から他端に向かって大きくなる形状を有する請求項６に記載のランプ。
【請求項１４】
前記光制御手段が前記導光体の内部の光を前記導光体の側面から出射させる効率が、前記導光体の前記一端から他端に向かって、大きくなる請求項７から請求項１１のいずれか一項に記載のランプ。
【発明の詳細な説明】
【技術分野】
【０００１】
本発明は、ランプに関する。
【背景技術】
【０００２】
屋外または屋内の照明器具（街路灯器具、道路灯器具、高天井器具など）に装着されるＨＩＤ（Ｈｉｇｈ  Ｉｎｔｅｎｓｉｔｙ  Ｄｉｓｃｈａｒｇｅｄ）ランプ（例えば水銀ランプなど）の代替となる、大光束のＬＥＤランプの開発が進められている（例えば、特許文献１参照）。これは、省エネルギー、長寿命化、耐環境性等の観点からの要請によるものである。
【先行技術文献】
【特許文献】
【０００３】
【特許文献１】国際公開第２０１３／０６９４４６号
【特許文献２】特開２００８−１３５２１０号公報
【特許文献３】特開２０１１−２２８１６７号公報
【発明の概要】
【発明が解決しようとする課題】
【０００４】
特許文献１のランプでは、複数のＬＥＤ発光ユニットを、発光面を外側に向けて配置している。このランプは、ＬＥＤ発光ユニット同士の間の位置から発光がないため、輝度むらが大きい。このため、乳白色半透明のカバーを有する街路用照明器具に特許文献１のランプを装着して使用する際などには、ＬＥＤ発光ユニット同士の間の位置が、カバーに暗く映るなどの問題がある。
【０００５】
特許文献２には、ＬＥＤの光を導光する柱状の導光体の周囲に、蛍光ランプの複数のバルブを配置し、導光体の側面から出射した光を、バルブ同士の間から外方に出射させる構成が開示されている。特許文献２のランプでは、導光体の側面から出射した光の大半は、蛍光ランプのバルブに当たり、多重反射することで、損失する。また、蛍光ランプを使用しているので、省エネルギー、長寿命化、耐環境性等の観点からの要請に応えることが困難である。
【０００６】
特許文献３には、主発光部に導光体を用いた照明装置が開示されている。主発光部に導光体を用いると、光のロスが大きい。このため、大光束で高効率のランプを実現することは困難である。
【０００７】
本発明は、上述のような課題を解決するためになされたもので、ランプの周方向の輝度のむらが小さく、高効率で、大光束化に有利なランプを提供することを目的とする。
【課題を解決するための手段】
【０００８】
本発明に係るランプは、発光素子を有する中央発光部と、発光素子を有する３個以上の側面発光ユニットと、を備え、３個以上の側面発光ユニットは、中央発光部の周りで、互いの間に間隔をあけ、発光面を外側に向けて配置され、中央発光部から出射した光が側面発光ユニット同士の間を通って放射されるものである。
【発明の効果】
【０００９】
本発明によれば、中央発光部から出射した光が側面発光ユニット同士の間を通って放射されることで、ランプの周方向の輝度のむらを小さくしつつ、高効率で、大光束化に有利なランプを提供することが可能となる。
【図面の簡単な説明】
【００１０】
【図１】本発明の実施の形態１のランプを斜め先端側から見た斜視図である。
【図２】図１に示すランプの先端側支持体の図示を省略した斜視図である。
【図３】図１に示すランプの先端側支持体及び側面発光ユニットの図示を省略した斜視図である。
【図４】図１に示すランプの先端側支持体及び側面発光ユニットの図示を省略し、先端側から見た図である。
【図５】本発明の実施の形態２のランプを斜め先端側から見た斜視図である。
【図６】本発明の実施の形態３のランプを斜め先端側から見た斜視図である。
【図７】本発明の実施の形態４のランプを斜め先端側から見た斜視図である。
【図８】図７に示すランプが備える中央発光部の分解斜視図である。
【図９】図７に示すランプにおいて基端側支持体及び先端側支持体の図示を省略した斜視図である。
【図１０】本発明の実施の形態５のランプを斜め先端側から見た斜視図である。
【図１１】図１０に示すランプが備える中央発光部の分解斜視図である。
【図１２】図１０に示すランプにおいて先端側支持体の図示を省略した斜視図である。
【図１３】本発明の実施の形態６のランプを斜め先端側から見た斜視図である。
【図１４】図１３に示すランプが備える中央発光部の分解斜視図である。
【図１５】本発明の実施の形態７のランプを斜め先端側から見た斜視図である。
【図１６】図１５に示すランプが備える中央発光部の分解斜視図である。
【図１７】本発明の実施の形態８のランプを斜め先端側から見た斜視図である。
【図１８】本発明の実施の形態９のランプを斜め先端側から見た斜視図である。
【図１９】本発明の実施の形態１０のランプを斜め先端側から見た斜視図である。
【図２０】本発明の実施の形態１１のランプを斜め先端側から見た斜視図である。
【図２１】本発明の実施の形態１２のランプを斜め先端側から見た斜視図である。
【図２２】本発明の実施の形態４における中央発光部の反射体の変形例を示す斜視図である。
【図２３】本発明の実施の形態５または実施の形態６における中央発光部の導光体及び光制御手段の他の変形例を示す側面図である。
【発明を実施するための形態】
【００１１】
以下、図面を参照して本発明の実施の形態について説明する。なお、各図において共通する要素には、同一の符号を付して、重複する説明を簡略化または省略する。
【００１２】
実施の形態１．
図１は、本発明の実施の形態１のランプを斜め先端側から見た斜視図である。図１に示す本実施の形態１のランプ１Ａは、ねじ込み式の口金２と、口金装着部３と、中央発光部４と、側面発光ユニット５と、基端側支持体６と、先端側支持体７とを備える。本実施の形態のランプ１Ａは、ランプ外寸（長さ、外周径、ランプ先端からの有効発光領域長）を、一般的な２５０Ｗ級水銀ランプとほぼ等しくすることが可能である。その場合、口金２は、Ｅ３９口金（Φ３９ｍｍ）とすることができる。ただし、本発明がこのような仕様に限定されないことは言うまでもない。以下の説明では、口金２側を「基端側」とし、その反対側を「先端側」とする。また、口金２の中心軸に相当する仮想直線を「ランプ中心軸」と称する。
【００１３】
口金２は、口金装着部３に装着されている。口金装着部３は、耐熱性に優れた樹脂材料、放熱性に優れた樹脂材料、金属材料、またはこれらの組み合わせなどで構成されることが好ましい。口金装着部３は、口金２と反対側において、基端側支持体６と連結されている。基端側支持体６は、中央発光部４及び側面発光ユニット５の基端部を支持する。先端側支持体７は、中央発光部４及び側面発光ユニット５の先端部を支持する。口金装着部３及び基端側支持体６に配設された給電線（図示省略）を介して、中央発光部４及び側面発光ユニット５に給電される。
【００１４】
中央発光部４の構成については、後述する。先に、側面発光ユニット５の構成について説明する。側面発光ユニット５は、ＬＥＤ（Ｌｉｇｈｔ  Ｅｍｉｔｔｉｎｇ  Ｄｉｏｄｅ）光源５ａ（発光素子）と、光源基板５ｂと、ヒートシンク５ｃと、透光性カバー５ｄとを備える。本実施の形態のランプ１Ａは、４個の側面発光ユニット５を備える。各々の側面発光ユニット５は、互いに同じ構成である。これらの側面発光ユニット５は、発光面を外側に向けて、中央発光部４の周りに配置される。隣り合う側面発光ユニット５同士の間には、間隔があけられている。これらの側面発光ユニット５は、ランプ１Ａの周方向に関して、等間隔に配置されている。すなわち、これらの側面発光ユニット５は、ランプ中心軸の周りに、等角度間隔（本実施の形態では９０°間隔）で配置されている。このように側面発光ユニット５を配置することで、ランプ１Ａの全周囲への配光を確保できる。本発明では、側面発光ユニット５の個数は、４個に限らないが、最低３個とし、ランプ外寸仕様に適合する範囲で、５個、または６個以上としてもよい。
【００１５】
ＬＥＤ光源５ａは、光源基板５ｂの表面側に実装されている。光源基板５ｂを介してＬＥＤ光源５ａに給電される。本実施の形態１では、ＬＥＤ光源５ａとして、１Ｗ〜数Ｗ級の面実装型小型ＬＥＤパッケージを複数用いているが、他の種類のＬＥＤを用いても良い。また、本発明では、ＬＥＤ以外の発光素子（例えば、有機ＥＬ（Ｅｌｅｃｔｒｏ−Ｌｕｍｉｎｅｓｃｅｎｃｅ）光源）を用いても良い。
【００１６】
ヒートシンク５ｃは、光源基板５ｂの裏面側に配置されている。ヒートシンク５ｃは、光源基板５ｂの裏面側に重なる板状部と、当該板状部からランプ１Ａの内側に向かって突出する複数のピンフィンとを有する。ヒートシンク５ｃは、ＬＥＤ光源５ａで発生した熱を空気へ放熱させる。ヒートシンク５ｃは、図示の構成に限定されるものではなく、例えば、ピンフィンに代えて板状のフィンを有する構成でも良い。
【００１７】
透光性カバー５ｄは、透光性及び防水防湿性を有する。透光性カバー５ｄは、光源基板５ｂの全体を覆う形に成形されている。透光性カバー５ｄは、当該側面発光ユニット５のすべてのＬＥＤ光源５ａを一括して覆うように構成されている。透光性カバー５ｄの構成材料は、耐湿性、耐水性、耐光性、耐震性などに優れた材料が望ましく、例えば、成形のし易さと耐環境性とに優れたポリカーボネート材料を好ましく用いることができる。また、透光性カバー５ｄとヒートシンク５ｃとの接合部は、防水防湿性を有する構成とする。そのような構成としては、例えば、ヒートシンク５ｃに、透光性カバー５ｄの外周部が嵌合する取り付け溝（図示省略）を形成し、その嵌合部の周囲を例えばシリコーン系の防湿性樹脂でコーティングする構成が挙げられる。本実施の形態のランプ１Ａでは、透光性カバー５ｄを設け、その取り付け部の防水防湿性を確保したことにより、ＬＥＤ光源５ａ及び光源基板５ｂを環境から確実に保護することができる。このため、ランプ１Ａ全体としても、優れた耐環境性を発揮するため、屋外に設置される照明器具にも好ましく使用することができる。
【００１８】
透光性カバー５ｄにおいて、幾何学的な凹凸パターンを設けたり、ランプ１Ａの先端側と基端側とで異なる形状としたり、カバー透過率を調整したりしてもよい。これらの構成により、各ＬＥＤ光源５ａからの光線方向をカバーの内面または外面で制御したり、各ＬＥＤ光源５ａからカバーまでの距離を変えたりすることにより、配光を意図的に調整することが可能となる。
【００１９】
透光性カバー５ｄは、ＬＥＤ光源５ａの表面からの距離を十分確保しつつ、ＬＥＤ光源５ａの側面をも覆う形状が好ましい。これにより、側面発光ユニット５は、ＬＥＤ光源５ａの表面側へ光を照射するだけでなく、ＬＥＤ光源５ａの側面側へも広く光を照射できるので、ランプ１Ａの配光を広げる効果が得られる。また、特に拡散性を有するカバーでは、ランプ１Ａの外側から見たランプ１Ａ上の輝度変化（コントラスト）を低く抑えることができる。
【００２０】
側面発光ユニット５の全体形状は、ランプ中心軸の方向の長さが、それと直交する方向の長さに比べて、長い形状である。側面発光ユニット５が、ランプ中心軸の方向に長い形状を有することで、ＬＥＤ光源５ａを十分に多く側面発光ユニット５に搭載できる。このため、ランプ１Ａは、大光束化に有利である。本実施の形態の側面発光ユニット５の、光源基板５ｂに垂直な方向から見た概略形状は、略菱形の６角形である。側面発光ユニット５の形状は、図示の形状に限定されない。例えば、光源基板５ｂに垂直な方向から見た側面発光ユニット５の概略形状が、長方形、多角形、楕円形などでも良い。
【００２１】
隣り合う側面発光ユニット５同士は接触していない。隣り合う側面発光ユニット５同士の間には、空気が通過できる間隔が設けられている。隣り合う側面発光ユニット５同士の間を空気が流れることで、ヒートシンク５ｃでの空気対流等による放熱効果を高めることができる。その結果、優れた放熱性が得られ、ＬＥＤ光源５ａを低温にできるので、ＬＥＤ光源５ａの高効率化及び長寿命化が図れる。
【００２２】
本実施の形態のランプ１Ａは、設置状態での向き（口金２が上向き、口金２が下向き、口金２が横向きなど）にかかわらず、各側面発光ユニット５のヒートシンク５ｃでの空気対流等を促進でき、優れた放熱性が得られる。
【００２３】
側面発光ユニット５の長手方向に垂直な方向の側面発光ユニット５の幅は、側面発光ユニット５の長手方向の中央部分で最大であり、この中央部分から両端（側面発光ユニット５の先端部及び基端部）に向かって漸減する。このような構成により、本実施の形態では、さらに、以下の効果が得られる。隣り合う側面発光ユニット５同士の間隔は、側面発光ユニット５の長手方向の中央部分では小さく、当該中央部分から先端側及び基端側に向かって大きくなる。すなわち、側面発光ユニット５の先端側と基端側とのそれぞれにおいて、当該間隔は大きくなる。この場合、側面発光ユニット５の先端側及び基端側の大きい間隔のうち、一方から入った空気が、ヒートシンク５ｃに沿って流れ、他方の大きい間隔から外へ出るという循環が形成されやすい。その結果、ヒートシンク５ｃでの空気対流等による放熱効果を高めることができ、より優れた放熱性が得られる。
【００２４】
本実施の形態では、各々の側面発光ユニット５は、光源基板５ｂがランプ中心軸に対してほぼ平行になるように配置されている。本発明は、このような構成に限定されるものではなく、側面発光ユニット５の光源基板５ｂがランプ中心軸に対して傾斜していても良い。
【００２５】
基端側支持体６は、中央部分から各々の側面発光ユニット５の基端部へ向かって腕部が放射状に突出する形状を有し、当該腕部が側面発光ユニット５の基端部に固定される。本実施の形態では、側面発光ユニット５の数が４個であるため、基端側支持体６は、ランプ中心軸の方向から見て、四方へ突出する腕部を有する略十字形を呈する。
【００２６】
先端側支持体７は、中央部分から各々の側面発光ユニット５の先端部へ向かって腕部が放射状に突出する形状を有し、当該腕部が側面発光ユニット５の先端部に固定される。本実施の形態では、側面発光ユニット５の数が４個であるため、先端側支持体７は、ランプ中心軸の方向から見て、四方へ突出する腕部を有する略十字形を呈する。
【００２７】
基端側支持体６と先端側支持体７との間には、空気が通過可能な空間が形成される。これにより、ヒートシンク５ｃに当たる空気流を促進でき、優れた放熱性が得られる。本実施の形態では、基端側支持体６及び先端側支持体７の２箇所のみで側面発光ユニット５を支持する。これにより、ヒートシンク５ｃに当たる空気流が妨げられることがなく、ヒートシンク５ｃからの放熱を確実に促進できる。
【００２８】
基端側支持体６及び先端側支持体７の構成材料は、放熱性に優れた材料、あるいは熱伝導率の高い材料が好ましい。基端側支持体６及び先端側支持体７の構成材料は、特に、金属材料が好ましい。基端側支持体６及び先端側支持体７の表面（少なくとも、露出している部分の表面）は、拡散性を有する高反射率面にしても良い。これにより、光反射損失の抑制及び広配光化が図れる。また、基端側支持体６及び先端側支持体７の表面（少なくとも、露出している部分の表面）に、放射率（輻射率）を高める高輻射処理を施しても良い。高輻射処理としては、例えば、熱放射塗料の塗布、アルミニウムに対するアルマイト処理などが挙げられる。高輻射処理を施すことで、放熱性をさらに高くできる。
【００２９】
なお、本実施の形態では、一つの側面発光ユニット５につき基端側支持体６及び先端側支持体７の２箇所で支持しているが、本発明では、一つの側面発光ユニット５につき１箇所で支持する構成としてもよい。
【００３０】
図２は、図１に示すランプ１Ａの先端側支持体７の図示を省略した斜視図である。図２中の矢印で示すように、中央発光部４から出射した光は、隣り合う側面発光ユニット５同士の間を通って、放射される。中央発光部４と側面発光ユニット５との間には、空気が通過できる間隔が設けられている。中央発光部４と側面発光ユニット５との間を空気が流れることで、中央発光部４と側面発光ユニット５との双方の放熱効果を高めることができる。本実施の形態のランプ１Ａによれば、中央発光部４を備えたことで、以下のような効果が得られる。
【００３１】
隣り合う側面発光ユニット５同士の間から、中央発光部４から発せられた光が放射される。これにより、隣り合う側面発光ユニット５同士の間でランプ１Ａの輝度が低下することを確実に抑制できる。ランプ１Ａを照明器具（街路灯器具、道路灯器具、高天井器具など）に取り付け、外側から観察した際に、側面発光ユニット５がある位置の輝度に比べて、隣り合う側面発光ユニット５同士の間の位置の輝度が低くなることを確実に抑制できる。すなわち、輝度むらが生じることを確実に抑制できる。特に、乳白色半透明のカバーを有する照明器具にランプ１Ａを装着して使用するような場合でも、隣り合う側面発光ユニット５同士の間の位置が、カバーに暗く映るなどの問題を確実に回避できる。また、ランプ１Ａの点灯時の印象として、輝度むらに起因する陰湿性及び不快感を確実に抑制でき、周囲照度（明るさ）の連続性を保つことができる。側面発光ユニット５の放熱性を良好にするためには、側面発光ユニット５同士の間に、空気が十分に流れることのできる間隔をあける必要がある。ランプ１Ａによれば、隣り合う側面発光ユニット５同士の間隔を十分に広くした場合でも、中央発光部４を備えたことで、上記の輝度むらを確実に抑制できる。ランプ１Ａによれば、上記の輝度むらを確実に抑制しつつ、隣り合う側面発光ユニット５同士の間隔を十分に広くできるので、側面発光ユニット５の放熱性を良好にできる。その結果、側面発光ユニット５のＬＥＤ光源５ａを低温にでき、ＬＥＤ光源５ａの高効率化及び長寿命化が図れる。ランプ１Ａによれば、発光光束の大小、側面発光ユニット５の搭載個数、装着対象となる照明器具の構成などの条件にかかわらず、以上のような効果を確実に奏することが可能となる。
【００３２】
本実施の形態のランプ１Ａの中央発光部４は、複数の中央発光ユニット８を有する。本実施の形態のランプ１Ａは、側面発光ユニット５と同数（図示の構成では４個）の中央発光ユニット８を有する。各々の中央発光ユニット８は、発光面を、隣り合う側面発光ユニット５同士の間に向けて、配置されている。各々の中央発光ユニット８は、互いに同じ構成である。隣り合う中央発光ユニット８同士の間には、間隔があけられている。中央発光ユニット８は、ランプ１Ａの周方向に関して、等間隔に配置されている。すなわち、中央発光ユニット８は、ランプ中心軸の周りに、等角度間隔（図示の構成では９０°間隔）で配置されている。
【００３３】
図３は、図１に示すランプ１Ａの先端側支持体７及び側面発光ユニット５の図示を省略した斜視図である。図３に示すように、中央発光ユニット８は、ＬＥＤ光源８ａ（発光素子）と、光源基板８ｂと、ヒートシンク８ｃと、透光性カバー８ｄとを備える。図３は、各々の中央発光ユニット８から透光性カバー８ｄを取り外した状態を示す。図３では、透光性カバー８ｄについては、一つの中央発光ユニット８の透光性カバー８ｄのみを示し、他の中央発光ユニット８の透光性カバー８ｄを省略している。
【００３４】
ＬＥＤ光源８ａは、光源基板８ｂの表面側に実装されている。光源基板８ｂを介してＬＥＤ光源８ａに給電される。本実施の形態１では、ＬＥＤ光源８ａとして、１Ｗ〜数Ｗ級の面実装型小型ＬＥＤパッケージを複数用いているが、他の種類のＬＥＤを用いても良い。また、本発明では、ＬＥＤ以外の発光素子（例えば、有機ＥＬ光源）を用いても良い。
【００３５】
ヒートシンク８ｃは、光源基板８ｂの裏面側に配置されている。ヒートシンク８ｃは、光源基板８ｂの裏面側に重なる板状部と、当該板状部からランプ１Ａの内側に向かって突出する複数の板状のフィンとを有する。ヒートシンク８ｃは、ＬＥＤ光源８ａで発生した熱を空気へ放熱させる。ヒートシンク８ｃは、図示の構成に限定されるものではなく、例えば、ピンフィンを有する構成でも良い。
【００３６】
透光性カバー８ｄは、透光性及び防水防湿性を有する。透光性カバー８ｄは、光源基板８ｂの全体を覆う形に成形されている。透光性カバー８ｄは、当該中央発光ユニット８のすべてのＬＥＤ光源８ａを一括して覆うように構成されている。透光性カバー８ｄの好ましい構成材料は、透光性カバー５ｄと同様である。透光性カバー８ｄの取り付け部は、透光性カバー５ｄと同様にして、防水防湿性を有する構成とされる。本実施の形態のランプ１Ａでは、透光性カバー８ｄを設け、その取り付け部の防水防湿性を確保したことにより、ＬＥＤ光源８ａ及び光源基板８ｂを環境から確実に保護することができる。このため、ランプ１Ａ全体としても、優れた耐環境性を発揮するため、屋外に設置される照明器具にも好ましく使用することができる。
【００３７】
中央発光ユニット８の全体形状は、ランプ中心軸の方向の長さが、それと直交する方向の長さに比べて、長い形状である。中央発光ユニット８の長手方向の長さは、側面発光ユニット５の長手方向の長さにほぼ等しい。中央発光ユニット８が、ランプ中心軸の方向に長い形状を有することで、ＬＥＤ光源８ａを十分に多く中央発光ユニット８に搭載できる。このため、ランプ１Ａは、大光束化に有利である。本実施の形態の中央発光ユニット８の、光源基板８ｂに垂直な方向から見た概略形状は、長方形であるが、多角形、楕円形などにしても良い。
【００３８】
隣り合う中央発光ユニット８同士は接触していない。隣り合う中央発光ユニット８同士の間には、空気が通過できる間隔が設けられている。隣り合う中央発光ユニット８同士の間を空気が流れることで、ヒートシンク８ｃでの空気対流等による放熱効果を高めることができる。その結果、優れた放熱性が得られ、ＬＥＤ光源８ａを低温にできるので、ＬＥＤ光源８ａの高効率化及び長寿命化が図れる。
【００３９】
本実施の形態のランプ１Ａは、設置状態での向き（口金２が上向き、口金２が下向き、口金２が横向きなど）にかかわらず、各中央発光ユニット８のヒートシンク８ｃでの空気対流等を促進でき、優れた放熱性が得られる。
【００４０】
本実施の形態では、各々の中央発光ユニット８は、光源基板８ｂがランプ中心軸に対してほぼ平行になるように配置されている。本発明は、このような構成に限定されるものではなく、中央発光ユニット８の光源基板８ｂがランプ中心軸に対して傾斜していても良い。また、中央発光ユニット８の形状及び構造も、図示の構成に限定されるものではない。例えば、以下のようにしても良い。前述したように、本実施の形態では、隣り合う側面発光ユニット５同士の間隔は、側面発光ユニット５の長手方向の中央部分では小さく、当該中央部分から先端側及び基端側に向かって大きくなる。このような構成に対応して、中央発光ユニット８の発光部を、隣り合う側面発光ユニット５同士の間隔が大きい部分（長手方向の中央部分を除いた、先端側及び基端側の部分）に集中して配置しても良い。
【００４１】
中央発光ユニット８の透光性カバー８ｄにおいて、幾何学的な凹凸パターンを設けたり、ランプ１Ａの先端側と基端側とで異なる形状としたり、カバー透過率を調整したりしてもよい。これらの構成により、各ＬＥＤ光源８ａからの光線方向をカバーの内面または外面で制御したり、各ＬＥＤ光源８ａからカバーまでの距離を変えたりすることにより、配光を意図的に調整することが可能となる。
【００４２】
本実施の形態の中央発光ユニット８の透光性カバー８ｄは、表面に、リニアフレネルレンズ部を有する。ＬＥＤ光源８ａから発せられた光は、透光性カバー８ｄのリニアフレネルレンズ部を通り、中央発光ユニット８から出射する。ＬＥＤ光源８ａから直接発せられる光のビーム角に比べて、中央発光ユニット８から出射する光のビーム角は狭くなる。リニアフレネルレンズ部は、ビーム角を狭くする機能を有する狭配光化部の例である。狭配光化部は、リニアフレネルレンズ部に限らず、凸レンズ部、フレネルレンズ部、シリンドリカルレンズ部などでも良い。
【００４３】
図４は、図１に示すランプ１Ａの先端側支持体７及び側面発光ユニット５の図示を省略し、先端側から見た図である。図４中に、ランプ中心軸に平行な方向から見たときの中央発光ユニット８の配光特性を示す。中央発光ユニット８の光軸は、隣り合う側面発光ユニット５同士の中間を通る。なお、光軸とは、出射光の光束または光芒の中心軸となる仮想的な光線を言うものとする。本実施の形態では、ビーム角を狭くする狭配光化部を中央発光ユニット８に備えたことで、中央発光ユニット８から出射した光を、隣り合う側面発光ユニット５同士の間に、効率良く通すことができる。このため、ランプ１Ａに輝度むらが生じることをより確実に抑制できる。
【００４４】
本実施の形態では、中央発光部４の配光特性が、ランプ１Ａの周方向に関して均一ではない。中央発光部４の配光特性は、隣り合う側面発光ユニット５同士の間へ向かう方向では光度が高く、側面発光ユニット５の裏面へ向かう方向では光度が低い。これにより、中央発光部４から出射する光が側面発光ユニット５で遮られてロスすることを抑制でき、中央発光部４から出射する光の利用効率を高くできる。なお、中央発光部４から、隣り合う側面発光ユニット５同士の中間へ向かう光の光度が、中央発光部４から側面発光ユニット５の裏面の中心へ向かう光の光度に比べて、高くなるように構成することで、上記と類似の効果が得られる。
【００４５】
光源基板５ｂ，８ｂは、有機材料基板、あるいはセラミック系基板でもよいが、アルミニウムまたは鉄などの金属系基板で構成することが好ましい。光源基板５ｂ，８ｂを金属系基板で構成することにより、放熱性を高めるとともに、振動への耐久性を向上することができる。光源基板５ｂ，８ｂの表面は、光損失を抑えるため、白色系塗料などで表面レジスト処理を行うことが好ましい。また、ヒートシンク５ｃ，８ｃ、基端側支持体６、先端側支持体７などに対しても、白色系の高反射塗料を塗るなどすることにより、ランプ１Ａ内の光損失を極力抑制しても良い。ヒートシンク５ｃ，８ｃの構成材料は、金属材料が好ましい。ヒートシンク５ｃ，８ｃの表面を熱放射性塗装することで、放熱性をさらに高くしても良い。
【００４６】
側面発光ユニット５、中央発光ユニット８の形状は、図示の形状に限定されるものではない。また、必要とされる配光形状または光束に応じて、ＬＥＤ光源５ａ，８ａの配置および光源基板５ｂ，８ｂのサイズなどを調整することが可能である。また、光源基板５ｂ，８ｂは、必ずしも平面状でなくてもよく、例えば、所望の配光特性を得るように、フレキシブル基板などを利用し、個々のＬＥＤ光源５ａ，８ａの実装部が連続的に段差を形成するような形態にしてもよい。ただし、フレキシブル基板は高価であるため、コストを低くする観点からは、本実施の形態のように、平面基板を用いるとともに、個々のＬＥＤ光源５ａ，８ａの光軸が基板に垂直となるように実装し、容易に製造可能にすることが好ましい。
【００４７】
基端側支持体６及び先端側支持体７と、中央発光部４及び側面発光ユニット５との接合部の固定方法は、例えば差し込み、スライド、ネジ止め、溶接、ろう接、接着などいかなる方法でも良い。あるいはそれら複合させた方法により固定しても良い。ヒートシンク５ｃ，８ｃから基端側支持体６及び先端側支持体７への熱伝導が良好となるように接合部を構成することで、放熱性をさらに向上できる。
【００４８】
また、本実施の形態では、発光素子（ＬＥＤ光源５ａ，８ａ）として、面実装型小型ＬＥＤパッケージを用いているが、本発明における発光素子は、これに限定されるものではなく、例えば数千〜数万ｌｍ／個の大光束のＣＯＢ（Ｃｈｉｐ  ｏｎ  Ｂｏａｒｄ）型のＬＥＤ光源を用いてもよい。ＣＯＢ型のＬＥＤ光源は、金属系基板もしくはセラミック基板等の放熱性基板に複数のＬＥＤベアチップを直接に実装して樹脂封止する構成としたものである。また、本発明では、ＬＥＤ光源に限らず、例えば有機ＥＬ光源等を発光素子として用いてもよい。
【００４９】
本実施の形態では、基端側支持体６と先端側支持体７とが、中央発光部４（中央発光ユニット８）及び側面発光ユニット５のみを介して、相互に連結固定されている。このため、基端側支持体６と先端側支持体７との間の空間における空気の流通を促進でき、放熱性をさらに向上できる。
【００５０】
実施の形態２．
次に、図５を参照して、本発明の実施の形態２について説明するが、上述した実施の形態との相違点を中心に説明し、同一部分または相当部分は同一符号を付し説明を簡略化または省略する。図５は、本発明の実施の形態２のランプを斜め先端側から見た斜視図である。図５に示す本実施の形態２のランプ１Ｂは、中央発光部４の構成が異なること以外は、実施の形態１のランプ１Ａと同様である。図５では、ランプ１Ｂの先端側支持体７の図示を省略している。
【００５１】
本実施の形態のランプ１Ｂの中央発光部４は、側面発光ユニット５と同数（図示の構成では４個）の中央発光ユニット８と、これらの中央発光ユニット８が共用するヒートシンク４ｃとを備える。本実施の形態のランプ１Ｂの中央発光ユニット８は、ＬＥＤ光源８ａと、光源基板８ｂと、透光性カバー８ｄとを備える。本実施の形態のランプ１Ｂの中央発光ユニット８は、実施の形態１の個別のヒートシンク８ｃに代えて、ヒートシンク４ｃを他の中央発光ユニットと共用する。ヒートシンク４ｃは、断面が８角形の筒状を呈する。筒状のヒートシンク４ｃの中心軸は、ランプ中心軸に一致している。光源基板８ｂの裏面がヒートシンク４ｃの外面に接触する。ヒートシンク４ｃの中空部には、空気が通過可能である。ヒートシンク４ｃの中空部に空気が流れることで、放熱効果を高めることができる。その結果、優れた放熱性が得られ、ＬＥＤ光源８ａを低温にできるので、ＬＥＤ光源８ａの高効率化及び長寿命化が図れる。ヒートシンク４ｃの内面にフィンを形成しても良い。また、ヒートシンク４ｃの外面の、中央発光ユニット８で覆われていない範囲に、フィンを形成しても良い。これらのフィンをヒートシンク４ｃに形成することで、放熱効果をさらに高めることができる。
【００５２】
透光性カバー８ｄとヒートシンク４ｃとの接合部は、防水防湿性を有する構成とされる。ヒートシンク４ｃの構成材料は、金属材料が好ましい。ヒートシンク４ｃの表面を熱放射性塗装することで、放熱性をさらに高くしても良い。本実施の形態のランプ１Ｂによれば、実施の形態１と同様の効果が得られる。また、共通のヒートシンク４ｃに複数の中央発光ユニット８を固定できるので、組み立てが簡単になる。
【００５３】
実施の形態３．
次に、図６を参照して、本発明の実施の形態３について説明するが、上述した実施の形態との相違点を中心に説明し、同一部分または相当部分は同一符号を付し説明を簡略化または省略する。図６は、本発明の実施の形態３のランプを斜め先端側から見た斜視図である。図６に示す本実施の形態３のランプ１Ｃは、中央発光ユニット８の透光性カバー８ｄの構成が異なること以外は、実施の形態１のランプ１Ａと同様である。図６では、基端側支持体６及び先端側支持体７の図示を省略する。
【００５４】
本実施の形態のランプ１Ｃが備える中央発光ユニット８の透光性カバー８ｄには、実施の形態１におけるリニアフレネルレンズ部に代えて、狭配光化部としての凸レンズ部が形成されている。本実施の形態のランプ１Ｃによれば、実施の形態１と同様の効果が得られる。
【００５５】
実施の形態４．
次に、図７から図９を参照して、本発明の実施の形態４について説明するが、上述した実施の形態との相違点を中心に説明し、同一部分または相当部分は同一符号を付し説明を簡略化または省略する。図７は、本発明の実施の形態４のランプを斜め先端側から見た斜視図である。図７に示す本実施の形態４のランプ１Ｄは、中央発光部４の構成が異なること以外は、実施の形態１のランプ１Ａと同様である。
【００５６】
図８は、図７に示すランプ１Ｄが備える中央発光部４の分解斜視図である。図８に示すように、本実施の形態のランプ１Ｄの中央発光部４は、ＬＥＤ光源４ａ（発光素子）と、光源基板４ｂと、透光性カバー４ｄと、反射体４ｅとを備える。光源基板４ｂは、ランプ中心軸に対して垂直に配置される。光源基板４ｂの中心は、ランプ中心軸上に配置される。光源基板４ｂは、基端側支持体６上に設置される。図示の構成では、光源基板４ｂの形状は、円形であるが、多角形などでも良い。
【００５７】
ＬＥＤ光源４ａは、光源基板４ｂの表面側に実装されている。光源基板４ｂを介してＬＥＤ光源４ａに給電される。本実施の形態では、ＬＥＤ光源４ａとして、１Ｗ〜数Ｗ級の面実装型小型ＬＥＤパッケージを複数用いているが、他の種類のＬＥＤを用いても良い。また、本発明では、ＬＥＤ以外の発光素子（例えば、有機ＥＬ光源）を用いても良い。ＬＥＤ光源４ａで発生した熱は、光源基板４ｂを介して基端側支持体６に熱伝導する。これにより、ＬＥＤ光源４ａを低温にでき、ＬＥＤ光源４ａの高効率化及び長寿命化が図れる。本実施の形態では、側面発光ユニット５の数と同数（本実施の形態では４個）のＬＥＤ光源４ａが、ランプ中心軸の周りに等角度間隔で配置されている。
【００５８】
透光性カバー４ｄは、透光性及び防水防湿性を有する。透光性カバー４ｄは、光源基板４ｂの全体を覆う形に成形されている。図示の構成では、ランプ中心軸に平行な方向から見た透光性カバー４ｄの概略形状は、円形であるが、多角形などでも良い。透光性カバー４ｄの好ましい構成材料は、実施の形態１での説明と同様である。透光性カバー４ｄの取り付け部は、実施の形態１での説明と同様にして、防水防湿性を有する構成とされる。本実施の形態のランプ１Ｄでは、透光性カバー４ｄを設け、その取り付け部の防水防湿性を確保したことにより、ＬＥＤ光源４ａ及び光源基板４ｂを環境から確実に保護することができる。
【００５９】
透光性カバー４ｄは、各々のＬＥＤ光源４ａと対向する位置の表面に、狭配光化部としての凸レンズ部を有する。ＬＥＤ光源４ａから発せられた光は、透光性カバー４ｄの凸レンズ部を通って出射する。ＬＥＤ光源４ａから直接発せられる光のビーム角に比べて、透光性カバー４ｄの凸レンズ部から出射する光のビーム角は狭くなる。
【００６０】
反射体４ｅは、その長手方向がランプ中心軸に平行になるように配置される。反射体４ｅの一端側（基端側）にＬＥＤ光源４ａが配置される。本実施の形態の反射体４ｅは、長手方向に対して垂直な断面形状が十字状を呈する。反射体４ｅは、ＬＥＤ光源４ａから透光性カバー４ｄを介して発せられた光を、隣り合う側面発光ユニット５同士の間へ向けて反射させる機能を有する。反射体４ｅの反射面は、高反射率を有することが望ましい。反射体４ｅの反射面は、鏡面または拡散面とする。反射体４ｅの反射面の特性を変更することで、ランプ１Ｄの点灯時の意匠性及び配光特性を調整できる。
【００６１】
図９は、図７に示すランプ１Ｄにおいて基端側支持体６及び先端側支持体７の図示を省略した斜視図である。図９に示すように、反射体４ｅの反射面は、隣り合う側面発光ユニット５同士の間に対向する凹部を形成する。当該凹部を以下「反射凹部」と称する。反射凹部の数は、側面発光ユニット５の数と同数（本実施の形態では４個）となる。反射凹部は、ランプ中心軸に平行な方向に沿って延びる溝状を呈する。中央発光部４のＬＥＤ光源４ａ及び透光性カバー４ｄの凸レンズ部は、反射凹部の基端側に位置する。図９中の矢印で示すように、ＬＥＤ光源４ａから透光性カバー４ｄの凸レンズ部を通って出射した光は、反射体４ｅの反射凹部で反射することで、隣り合う側面発光ユニット５同士の間を通って、放射される。これにより、実施の形態１と同様の効果が得られる。ＬＥＤ光源４ａから透光性カバー４ｄを介して出射する光の光軸は、ランプ中心軸に対して平行でも良いが、内側（反射体４ｅの側）へ傾斜していても良い。
【００６２】
本実施の形態では、中央発光部４の配光特性が、ランプ１Ｄの周方向に関して均一ではない。中央発光部４の配光特性は、隣り合う側面発光ユニット５同士の間へ向かう方向では光度が高く、側面発光ユニット５の裏面へ向かう方向では光度が低い。これにより、中央発光部４から出射する光が側面発光ユニット５で遮られてロスすることを抑制でき、中央発光部４から出射する光の利用効率を高くできる。
【００６３】
本実施の形態では、反射体４ｅの長手方向に対して垂直な反射凹部の断面形状は、Ｌ字状を呈する。すなわち、当該反射凹部は、互いに垂直な平板状の二つの反射面を有する。当該二つの反射面が接合する頂点部分は、角になっていても良いが、湾曲して曲面になっていても良い。当該頂点部分を曲面にすることで、反射損失を低減できる。また、反射凹部の全体を曲面にしても良い。
【００６４】
反射体４ｅを金属材料で構成し、光源基板４ｂから反射体４ｅへ熱伝導可能になるように、光源基板４ｂと反射体４ｅの基端とを接合しても良い。これにより、ＬＥＤ光源４ａをさらに低温にでき、ＬＥＤ光源４ａのさらなる高効率化及び長寿命化が図れる。この場合、透光性カバー４ｄは、各々のＬＥＤ光源４ａを覆うように分割すれば良い。反射体４ｅの先端と先端側支持体７との間を熱伝導可能に接合することで、放熱性をさらに向上できる。
【００６５】
本実施の形態では、一つの反射体４ｅによって複数の反射凹部を形成しているが、個々の反射凹部を別々の反射体で形成しても良い。
【００６６】
実施の形態５．
次に、図１０から図１２を参照して、本発明の実施の形態５について説明するが、上述した実施の形態との相違点を中心に説明し、同一部分または相当部分は同一符号を付し説明を簡略化または省略する。図１０は、本発明の実施の形態５のランプを斜め先端側から見た斜視図である。図１０に示す本実施の形態５のランプ１Ｅは、中央発光部４の構成が異なること以外は、実施の形態１のランプ１Ａと同様である。
【００６７】
図１１は、図１０に示すランプ１Ｅが備える中央発光部４の分解斜視図である。図１１に示すように、本実施の形態のランプ１Ｅの中央発光部４は、ＬＥＤ光源４ａ（発光素子）と、光源基板４ｂと、ケース４ｆと、導光体４ｇと、拡散反射部４ｈとを備える。ＬＥＤ光源４ａ及び光源基板４ｂは、実施の形態４と同様である。光源基板４ｂは、ケース４ｆの底部に設置されている。ケース４ｆは、光源基板４ｂの周りを囲む外壁部を有する。ケース４ｆの外壁部の内周面は、高反射率を有することが望ましい。ケース４ｆの外壁部の内周面で光を反射させることで、ＬＥＤ光源４ａから側方へ発せられた光を、より高い効率で導光体４ｇに入射させることができる。
【００６８】
導光体４ｇは、透明材料で構成される。導光体４ｇは、全体形状として、中実の円柱状を呈する。導光体４ｇの全体形状は、図示のような円柱状に限定されず、角柱状などでも良い。導光体４ｇは、その長手方向がランプ中心軸に平行になるように配置される。導光体４ｇは、その中心軸がランプ中心軸に一致するように配置される。導光体４ｇの基端部は、ケース４ｆの外壁部の内側に挿入する。導光体４ｇの基端部は、ケース４ｆと固定される。導光体４ｇの一端（基端）の端面は、ＬＥＤ光源４ａに対向する。導光体４ｇとケース４ｆとの接合部を、防水防湿性を有する構成とすることで、ＬＥＤ光源４ａ及び光源基板４ｂを環境から確実に保護することができる。
【００６９】
拡散反射部４ｈは、導光体４ｇの内部に設けられている。拡散反射部４ｈは、導光体４ｇの側面から光を出射させる光制御手段の例である。本実施の形態の拡散反射部４ｈは、実施の形態４の反射体４ｅに類似した部材で構成される。拡散反射部４ｈは、導光体４ｇの長手方向に対して垂直な断面形状が十字状を呈する。拡散反射部４ｈは、導光体４ｇの内部の光を拡散反射させる機能を有する。拡散反射部４ｈは、高反射率を有することが望ましい。拡散反射部４ｈは、導光体４ｇの内部において凹面を形成し、当該凹面は、隣り合う側面発光ユニット５同士の間に対向する。当該凹面を以下「反射凹面」と称する。反射凹面の数は、側面発光ユニット５の数と同数（本実施の形態では４個）となる。
【００７０】
図１２は、図１０に示すランプ１Ｅにおいて先端側支持体７の図示を省略した斜視図である。図１２中の矢印で示すように、中央発光部４の導光体４ｇの側面から出射した光は、隣り合う側面発光ユニット５同士の間を通って、放射される。これにより、実施の形態１と同様の効果が得られる。ＬＥＤ光源４ａから導光体４ｇの基端に入射した光は、導光体４ｇの内部で先端方向へ導光されつつ、拡散反射部４ｈで反射されることで、導光体４ｇの側面から出射し、隣り合う側面発光ユニット５同士の間を通って放射される。また、拡散反射部４ｈと導光体４ｇの側面とで反射を繰り返すことで導光体４ｇの内部を進む光もある。当該光は、最終的に、拡散反射部４ｈで反射されることで導光体４ｇの側面から出射し、隣り合う側面発光ユニット５同士の間を通って放射される。本実施の形態によれば、導光体４ｇを備えたことで、中央発光部４の輝度をランプ中心軸方向に沿って均等化できる。
【００７１】
本実施の形態では、中央発光部４の配光特性が、ランプ１Ｅの周方向に関して均一ではない。中央発光部４の配光特性は、隣り合う側面発光ユニット５同士の間へ向かう方向では光度が高く、側面発光ユニット５の裏面へ向かう方向では光度が低い。これにより、中央発光部４から出射する光が側面発光ユニット５で遮られてロスすることを抑制でき、中央発光部４から出射する光の利用効率を高くできる。
【００７２】
実施の形態６．
次に、図１３及び図１４を参照して、本発明の実施の形態６について説明するが、上述した実施の形態との相違点を中心に説明し、同一部分または相当部分は同一符号を付し説明を簡略化または省略する。図１３は、本発明の実施の形態６のランプを斜め先端側から見た斜視図である。図１３に示す本実施の形態６のランプ１Ｆは、中央発光部４の構成が異なること以外は、実施の形態１のランプ１Ａと同様である。図１３では、ランプ１Ｆの先端側支持体７の図示を省略している。
【００７３】
図１４は、図１３に示すランプ１Ｆが備える中央発光部４の分解斜視図である。図１４に示すように、本実施の形態のランプ１Ｆの中央発光部４は、実施の形態５のランプ１Ｅの中央発光部４と比べて、拡散反射部４ｈに代えて拡散反射部４ｉを備えること以外は同様である。拡散反射部４ｉは、導光体４ｇの側面から光を出射させる光制御手段の例である。
【００７４】
拡散反射部４ｉは、導光体４ｇの側面に設けられている。本実施の形態の拡散反射部４ｉは、導光体４ｇの内部の光を拡散反射させる機能を有する。拡散反射部４ｉは、高反射率を有することが望ましい。拡散反射部４ｉは、側面発光ユニット５の裏面に対向する位置に配置される。隣り合う側面発光ユニット５同士の間に対向する部分の導光体４ｇの側面には、拡散反射部４ｉが存在しない。拡散反射部４ｉは、導光体４ｇの長手方向に沿う帯状を呈する。拡散反射部４ｉは、不透明または半透明とされる。拡散反射部４ｉは、例えば、白色拡散性塗料の塗布、シルクスクリーン等の印刷、粘着シートの貼り付けなどの方法で形成できる。
【００７５】
図１３中の矢印で示すように、中央発光部４の導光体４ｇの側面の、拡散反射部４ｉ同士の間から出射した光は、隣り合う側面発光ユニット５同士の間を通って、放射される。これにより、実施の形態１と同様の効果が得られる。ＬＥＤ光源４ａから導光体４ｇの基端に入射した光は、導光体４ｇの内部で先端方向へ導光されつつ、拡散反射部４ｉで反射されることで、導光体４ｇの側面から出射し、隣り合う側面発光ユニット５同士の間を通って放射される。また、拡散反射部４ｉと導光体４ｇの側面とで反射を繰り返すことで導光体４ｇの内部を進む光もある。当該光は、最終的に、拡散反射部４ｉで反射されることで導光体４ｇの側面から出射し、隣り合う側面発光ユニット５同士の間を通って放射される。本実施の形態によれば、導光体４ｇを備えたことで、中央発光部４の輝度をランプ中心軸方向に沿って均等化できる。
【００７６】
本実施の形態では、中央発光部４の配光特性が、ランプ１Ｆの周方向に関して均一ではない。中央発光部４の配光特性は、隣り合う側面発光ユニット５同士の間へ向かう方向では光度が高く、側面発光ユニット５の裏面へ向かう方向では光度が低い。これにより、中央発光部４から出射する光が側面発光ユニット５で遮られてロスすることを抑制でき、中央発光部４から出射する光の利用効率を高くできる。
【００７７】
実施の形態７．
次に、図１５及び図１６を参照して、本発明の実施の形態７について説明するが、上述した実施の形態との相違点を中心に説明し、同一部分または相当部分は同一符号を付し説明を簡略化または省略する。図１５は、本発明の実施の形態７のランプを斜め先端側から見た斜視図である。図１５に示す本実施の形態７のランプ１Ｇは、中央発光部４の構成が異なること以外は、実施の形態１のランプ１Ａと同様である。図１５では、ランプ１Ｇの先端側支持体７の図示を省略している。
【００７８】
図１６は、図１５に示すランプ１Ｇが備える中央発光部４の分解斜視図である。図１６に示すように、本実施の形態のランプ１Ｇの中央発光部４は、実施の形態５のランプ１Ｅの中央発光部４と比べて、導光体４ｇ及び拡散反射部４ｈに代えて導光体４ｊを備えること以外は同様である。
【００７９】
導光体４ｊは、透明材料で構成される。導光体４ｊは、全体形状として、中空の円筒状を呈する。導光体４ｊの全体形状は、図示のような円筒状に限定されず、角筒状などでも良い。導光体４ｊは、その長手方向がランプ中心軸に平行になるように配置される。導光体４ｊは、その中心軸がランプ中心軸に一致するように配置される。導光体４ｊの基端部は、ケース４ｆの外壁部の内側に挿入する。導光体４ｊの基端部は、ケース４ｆと固定される。導光体４ｊとケース４ｆとの接合部を、防水防湿性を有する構成とすることで、ＬＥＤ光源４ａ及び光源基板４ｂを環境から確実に保護することができる。
【００８０】
導光体４ｊの内面及び外面のいずれか一方または両方には、光拡散面が形成される。この光拡散面は、例えば、導光体４ｊの長手方向に沿って延びる微細な凸条のストライプ加工を施したり、導光体４ｊの長手方向に沿って延びるプリズムシートを設置したりすることで形成できる。ＬＥＤ光源４ａから導光体４ｊの中空部に入射した光は、上記の光拡散面で拡散することで、導光体４ｊの側面から導光体４ｊの外へ出射する。上記の光拡散面は、導光体４ｊの側面から光を出射させる光制御手段の例である。
【００８１】
側面発光ユニット５の裏面に対向する位置と、隣り合う側面発光ユニット５同士の間に対向する位置とで、導光体４ｊの光拡散面の性状を異ならせることで、隣り合う側面発光ユニット５同士の間へ向かう方向では光度が高く、側面発光ユニット５の裏面へ向かう方向では光度が低くなるように、中央発光部４の配光特性を調整できる。例えば、導光体４ｊの光拡散面の微細な凹凸を、側面発光ユニット５の裏面に対向する位置では比較的小さくし、隣り合う側面発光ユニット５同士の間に対向する位置では比較的大きくすることで、上記のように調整できる。また、実施の形態６で説明した拡散反射部４ｉを、本実施の形態の導光体４ｊの側面に設けても良い。
【００８２】
図１５中の矢印で示すように、中央発光部４のＬＥＤ光源４ａから導光体４ｊの中空部へ入射した光は、導光体４ｊの側面から出射し、隣り合う側面発光ユニット５同士の間を通って、放射される。これにより、実施の形態１と同様の効果が得られる。また、導光体４ｊの内面で反射を繰り返すことで導光体４ｊの先端方向へ進む光もある。当該光は、最終的に、導光体４ｊの側面から出射し、隣り合う側面発光ユニット５同士の間を通って放射される。本実施の形態によれば、導光体４ｊを備えたことで、中央発光部４の輝度をランプ中心軸方向に沿って均等化できる。
【００８３】
実施の形態８．
次に、図１７を参照して、本発明の実施の形態８について説明するが、上述した実施の形態との相違点を中心に説明し、同一部分または相当部分は同一符号を付し説明を簡略化または省略する。図１７は、本発明の実施の形態８のランプを斜め先端側から見た斜視図である。図１７に示す本実施の形態８のランプ１Ｈは、先端発光部９をさらに備えること以外は、実施の形態１のランプ１Ａと同様である。
【００８４】
本実施の形態のランプ１Ｈが備える先端発光部９は、先端側支持体７上に設置されている。先端発光部９は、発光面をランプ先端側に向けて配置されている。先端発光部９は、ＬＥＤ光源９ａ（発光素子）と、光源基板９ｂと、透光性カバー９ｄとを備える。ＬＥＤ光源９ａは、光源基板９ｂの表面側に実装されている。光源基板９ｂを介してＬＥＤ光源９ａに給電される。本実施の形態では、ＬＥＤ光源９ａとして、１Ｗ〜数Ｗ級の面実装型小型ＬＥＤパッケージを複数用いているが、他の種類のＬＥＤを用いても良い。また、本発明では、ＬＥＤ以外の発光素子（例えば、有機ＥＬ光源）を用いても良い。
【００８５】
透光性カバー９ｄは、透光性及び防水防湿性を有する。透光性カバー９ｄは、光源基板９ｂの全体を覆う形に成形されている。透光性カバー９ｄは、当該先端発光部９のすべてのＬＥＤ光源９ａを一括して覆うように構成されている。透光性カバー９ｄの好ましい構成材料は、透光性カバー５ｄと同様である。透光性カバー９ｄの取り付け部は、透光性カバー５ｄと同様にして、防水防湿性を有する構成とされる。
【００８６】
ＬＥＤ光源９ａで発生した熱は、光源基板９ｂを介して先端側支持体７に熱伝導する。これにより、ＬＥＤ光源９ａを低温にでき、ＬＥＤ光源９ａの高効率化及び長寿命化が図れる。先端発光部９は、ヒートシンク（図示省略）をさらに備えても良い。また、ＬＥＤ光源９ａから伝わった熱を空気へ放熱させるフィンを先端側支持体７に設けても良い。図示の構成では、ランプ先端側から見たときの先端発光部９の概略形状は、円形であるが、例えば正多角形などの他の形状でもよい。
【００８７】
先端発光部９への給電経路は、少なくとも一つの側面発光ユニット５を経由することが望ましい。少なくとも一つの側面発光ユニット５と、先端発光部９とを、給電線（図示省略）を介して接続することで、当該側面発光ユニット５を介して先端発光部９へ給電できる。図示を省略するが、少なくとも一つの側面発光ユニット５の光源基板５ｂに、当該光源基板５ｂのＬＥＤ光源５ａに給電するための導電パターンと、先端発光部９へ給電するための導電パターンとを別々に設け、後者の導電パターンを上記給電線で光源基板９ｂに電気的に接続しても良い。このようにすることで、側面発光ユニット５に給電する給電経路と、先端発光部９に給電する給電経路とを電気的に独立にできるので、側面発光ユニット５のＬＥＤ光源５ａと、先端発光部９のＬＥＤ光源５ａとで、電流及び電圧などの駆動条件並びに点灯状態を個別に制御することが可能になる。
【００８８】
本実施の形態によれば、実施の形態１と同様の効果に加えて、次の効果が得られる。先端発光部９を設けたことで、ランプ外周方向だけでなく、ランプ先端方向を十分に照明できる。すなわち、全方位配光が可能となる。
【００８９】
実施の形態９．
次に、図１８を参照して、本発明の実施の形態９について説明するが、上述した実施の形態との相違点を中心に説明し、同一部分または相当部分は同一符号を付し説明を簡略化または省略する。図１８は、本発明の実施の形態９のランプを斜め先端側から見た斜視図である。図１８に示す本実施の形態９のランプ１Ｊは、先端発光部９をさらに備えること以外は、実施の形態５のランプ１Ｅと同様である。本実施の形態のランプ１Ｊが備える先端発光部９は、実施の形態８のランプ１Ｈが備える先端発光部９と同様である。本実施の形態によれば、実施の形態５と同様の効果に加えて、次の効果が得られる。先端発光部９を設けたことで、ランプ外周方向だけでなく、ランプ先端方向を十分に照明できる。すなわち、全方位配光が可能となる。
【００９０】
実施の形態１０．
次に、図１９を参照して、本発明の実施の形態１０について説明するが、上述した実施の形態との相違点を中心に説明し、同一部分または相当部分は同一符号を付し説明を簡略化または省略する。図１９は、本発明の実施の形態１０のランプを斜め先端側から見た斜視図である。図１９に示す本実施の形態１０のランプ１Ｋは、先端発光部９をさらに備えること以外は、実施の形態６のランプ１Ｆと同様である。本実施の形態のランプ１Ｋが備える先端発光部９は、実施の形態８のランプ１Ｈが備える先端発光部９と同様である。本実施の形態によれば、実施の形態６と同様の効果に加えて、次の効果が得られる。先端発光部９を設けたことで、ランプ外周方向だけでなく、ランプ先端方向を十分に照明できる。すなわち、全方位配光が可能となる。
【００９１】
実施の形態１１．
次に、図２０を参照して、本発明の実施の形態１１について説明するが、上述した実施の形態との相違点を中心に説明し、同一部分または相当部分は同一符号を付し説明を簡略化または省略する。図２０は、本発明の実施の形態１１のランプを斜め先端側から見た斜視図である。図２０に示す本実施の形態１１のランプ１Ｌは、以下に説明する事項以外は、実施の形態５のランプ１Ｅと同様である。
【００９２】
図２０に示すように、本実施の形態のランプ１Ｌでは、先端側支持体７の中央に、中央発光部４の導光体４ｇの先端部を通す孔が形成されている。中央発光部４の導光体４ｇの先端部は、先端側支持体７の当該孔を貫通している。これにより、導光体４ｇの先端面が露出している。中央発光部４のＬＥＤ光源４ａから導光体４ｇの基端に入射した光の一部は、導光体４ｇの先端まで導光され、導光体４ｇの先端面から先端方向へ出射する。本実施の形態によれば、実施の形態５と同様の効果に加えて、次の効果が得られる。導光体４ｇの先端面から光が出射することで、ランプ外周方向だけでなく、ランプ先端方向を十分に照明できる。すなわち、全方位配光が可能となる。
【００９３】
実施の形態１２．
次に、図２１を参照して、本発明の実施の形態１２について説明するが、上述した実施の形態との相違点を中心に説明し、同一部分または相当部分は同一符号を付し説明を簡略化または省略する。図２１は、本発明の実施の形態１２のランプを斜め先端側から見た斜視図である。図２１に示す本実施の形態１２のランプ１Ｍは、以下に説明する事項以外は、実施の形態６のランプ１Ｆと同様である。
【００９４】
図２１に示すように、本実施の形態のランプ１Ｍでは、先端側支持体７の中央に、中央発光部４の導光体４ｇの先端部を通す孔が形成されている。中央発光部４の導光体４ｇの先端部は、先端側支持体７の当該孔を貫通している。これにより、導光体４ｇの先端面が露出している。中央発光部４のＬＥＤ光源４ａから導光体４ｇの基端に入射した光の一部は、導光体４ｇの先端まで導光され、導光体４ｇの先端面から先端方向へ出射する。本実施の形態によれば、実施の形態６と同様の効果に加えて、次の効果が得られる。導光体４ｇの先端面から光が出射することで、ランプ外周方向だけでなく、ランプ先端方向を十分に照明できる。すなわち、全方位配光が可能となる。
【００９５】
図２２は、実施の形態４（図７から図９）における中央発光部４の反射体４ｅの変形例を示す斜視図である。図２２に示すように、実施の形態４の変形例として、反射体４ｅの形状を、基端（一端）から先端（他端）に向かって大きくなる形状にしても良い。このようにすることで、中央発光部４のＬＥＤ光源４ａに近い、反射体４ｅの基端寄りの位置では、反射体４ｅで反射される光の割合が小さく、ＬＥＤ光源４ａから遠い、反射体４ｅの先端寄りの位置では、反射体４ｅで反射される光の割合が大きくなる。このため、中央発光部４の輝度を長手方向に沿ってさらに均等化できる。
【００９６】
また、実施の形態５（図１０から図１２）における中央発光部４の拡散反射部４ｈを、図２２に示す形状に変形しても良い。このようにすることで、中央発光部４において、拡散反射部４ｈ（光制御手段）が導光体４ｇの内部の光を導光体４ｇの側面から出射させる効率が、基端（一端）から先端（他端）に向かって、大きくなる。すなわち、中央発光部４のＬＥＤ光源４ａに近い、導光体４ｇの基端寄りの位置では、拡散反射部４ｈが導光体４ｇの内部の光を導光体４ｇの側面から出射させる効率が小さく、ＬＥＤ光源４ａから遠い、導光体４ｇの先端寄りの位置では、拡散反射部４ｈが導光体４ｇの内部の光を導光体４ｇの側面から出射させる効率が大きくなる。このため、中央発光部４の輝度を長手方向に沿ってさらに均等化できる。
【００９７】
図示を省略するが、実施の形態６（図１３及び図１４）における中央発光部４の変形例として、導光体４ｇの先端に近いほど、拡散反射部４ｉ（光制御手段）の幅が狭くなるようにしても良い。このようにすることで、図２２に示す変形例と同様の効果が得られる。
【００９８】
図２３は、実施の形態５（図１０から図１２）または実施の形態６（図１３及び図１４）における中央発光部４の導光体４ｇ及び光制御手段の他の変形例を示す側面図である。図２３に示す導光体４ｇの内部には、粒子状の光拡散フィラー４ｋが多数点在している。光拡散フィラー４ｋは、導光体４ｇの側面から光を出射させる光制御手段の例である。実施の形態５または実施の形態６における中央発光部４の他の変形例として、拡散反射部４ｈまたは４ｉに代えて光拡散フィラー４ｋを光制御手段として備えた図２３に示す導光体４ｇを用いることができる。
【００９９】
導光体４ｇの基端側（図２３中の下側）では光拡散フィラー４ｋの添加密度が比較的低く、導光体４ｇの先端（図２３中の上側）に近いほど、光拡散フィラー４ｋの添加密度が高くなるようにしても良い。このようにすることで、中央発光部４において、光拡散フィラー４ｋ（光制御手段）が導光体４ｇの内部の光を導光体４ｇの側面から出射させる効率が、基端（一端）から先端（他端）に向かって、大きくなる。すなわち、中央発光部４のＬＥＤ光源４ａに近い、導光体４ｇの基端寄りの位置では、光拡散フィラー４ｋが導光体４ｇの内部の光を導光体４ｇの側面から出射させる効率が小さく、ＬＥＤ光源４ａから遠い、導光体４ｇの先端寄りの位置では、光拡散フィラー４ｋが導光体４ｇの内部の光を導光体４ｇの側面から出射させる効率が大きくなる。このため、中央発光部４の輝度を長手方向に沿ってさらに均等化できる。
【０１００】
以上、本発明の実施の形態について説明したが、本発明では、上述した複数の実施の形態の特徴を任意に組み合わせて実施することが可能である。また、本発明のランプの各構成要素は、上述した実施の形態に限定されるものではない。例えば、中央発光部４の光源として、フレキシブル有機ＥＬ基板を使用し、当該フレキシブル有機ＥＬ基板を筒状に配置したり、細長い有機ＥＬ基板を中央発光部４の長手方向に沿って配置したりする構成にしても良い。
【符号の説明】
【０１０１】
１Ａ，１Ｂ，１Ｃ，１Ｄ，１Ｅ，１Ｆ，１Ｇ，１Ｈ，１Ｊ，１Ｋ，１Ｌ，１Ｍ  ランプ、２  口金、３  口金装着部、４  中央発光部、４ａ  ＬＥＤ光源、４ｂ  光源基板、４ｃ  ヒートシンク、４ｄ  透光性カバー、４ｅ  反射体、４ｆ  ケース、４ｇ  導光体、４ｈ，４ｉ  拡散反射部、４ｊ  導光体、４ｋ  光拡散フィラー、５  側面発光ユニット、５ａ  ＬＥＤ光源、５ｂ  光源基板、５ｃ  ヒートシンク、５ｄ  透光性カバー、６  基端側支持体、７  先端側支持体、８  中央発光ユニット、８ａ  ＬＥＤ光源、８ｂ  光源基板、８ｃ  ヒートシンク、８ｄ  透光性カバー、９  先端発光部、９ａ  ＬＥＤ光源、９ｂ  光源基板、９ｄ  透光性カバー
【図１】
2016201210.tif 000003
【図２】
2016201210.tif 000004
【図３】
2016201210.tif 000005
【図４】
2016201210.tif 000006
【図５】
2016201210.tif 000007
【図６】
2016201210.tif 000008
【図７】
2016201210.tif 000009
【図８】
2016201210.tif 000010
【図９】
2016201210.tif 000011
【図１０】
2016201210.tif 000012
【図１１】
2016201210.tif 000013
【図１２】
2016201210.tif 000014
【図１３】
2016201210.tif 000015
【図１４】
2016201210.tif 000016
【図１５】
2016201210.tif 000017
【図１６】
2016201210.tif 000018
【図１７】
2016201210.tif 000019
【図１８】
2016201210.tif 000020
【図１９】
2016201210.tif 000021
【図２０】
2016201210.tif 000022
【図２１】
2016201210.tif 000023
【図２２】
2016201210.tif 000024
【図２３】
2016201210.tif 000025